(57)【特許請求の範囲】
【請求項１】
撮影光学系により結像された被写体像を撮像素子で撮像する撮影ユニットと、
画像データに基づく投影用画像を矩形表示領域を有する画像形成素子に表示して、その投影用画像を投影光学系により投影する投影ユニットと、を備えるプロジェクタ機能付きデジタルカメラにおいて、
前記投影用画像の回転角度をユーザが任意の角度に指定する角度入力操作部と、
画像が前記矩形表示領域の短辺の長さ以下の直径を有する円形表示領域内に収まるように、前記画像データを調整する第１の画像調整手段と、
前記第１の画像調整手段で調整された画像データによる第１の画像を、前記角度入力操作部で指定された任意の回転角度だけ回転して前記画像形成素子に表示する表示制御部と、を備えたことを特徴とするプロジェクタ機能付きデジタルカメラ。
【請求項２】
請求項１に記載のプロジェクタ機能付きデジタルカメラにおいて、
前記第１の画像調整手段は、前記円形表示領域内の画像のみを切り出すように前記画像データを調整することを特徴とするプロジェクタ機能付きデジタルカメラ。
【請求項３】
請求項１に記載のプロジェクタ機能付きデジタルカメラにおいて、
前記第１の画像調整手段は、前記投影用画像の全体が前記円形表示領域内に収まるように前記画像データを調整することを特徴とするプロジェクタ機能付きデジタルカメラ。
【請求項４】
請求項２または３に記載のプロジェクタ機能付きデジタルカメラにおいて、
前記投影用画像の全体が前記回転角度で前記矩形表示領域内に収まるように前記画像データを調整する第２の画像調整手段をさらに備え、
前記表示制御部は、前記第１の画像調整手段で調整された画像データによる第１の画像を前記画像形成素子に表示した後に、該第１の画像に代えて前記第２の画像調整手段で調整された画像データによる第２の画像を表示することを特徴とするプロジェクタ機能付きデジタルカメラ。
【請求項５】
撮影光学系により結像された被写体像を撮像素子で撮像する撮影ユニットと、
画像データに基づく投影用画像を矩形表示領域を有する画像形成素子に表示して、その投影用画像を投影光学系により投影する投影ユニットと、を備えるプロジェクタ機能付きデジタルカメラにおいて、
前記投影用画像の回転角度をユーザが任意の角度に指定する角度入力操作部と、
前記投影用画像の全体が前記回転角度で前記矩形表示領域内に収まるように前記画像データを調整する画像調整手段と、
予め設定された角度認識容易な回転用画像を前記角度入力操作部で指定された任意の回転角度だけ回転して前記画像形成素子に表示した後に、該回転用画像に代えて前記画像調整手段で調整された画像データによる画像を、前記角度入力操作部で指定された任意の回転角度だけ回転して前記画像形成素子に表示する表示制御部と、を備えたことを特徴とするプロジェクタ機能付きデジタルカメラ。
【請求項６】
請求項１〜５のいずれか一項に記載のプロジェクタ機能付きデジタルカメラにおいて、
前記表示制御部は、複数の角度を示す複数の角度指標と、前記回転角度と同一角度の前記角度指標を指し示す指示標識とを、前記画像形成素子にさらに表示することを特徴とするプロジェクタ機能付きデジタルカメラ。
【請求項７】
請求項１〜６のいずれか一項に記載のプロジェクタ機能付きデジタルカメラにおいて、
前記角度入力操作部により指定された角度を複数記憶する記憶部をさらに備えることを特徴とするプロジェクタ機能付きデジタルカメラ。
【請求項８】
請求項１〜７のいずれか一項に記載のプロジェクタ機能付きデジタルカメラにおいて、
前記矩形表示領域は、前記投影用画像を縮小した画像が各々表示される複数の分割表示領域から成り、
前記角度入力操作部は、前記複数の分割表示領域の各画像の任意の回転角度を指定することを特徴とするプロジェクタ機能付きデジタルカメラ。
【請求項９】
請求項１〜８のいずれか一項に記載のプロジェクタ機能付きデジタルカメラにおいて、
前記投影用画像と同一画像であるモニタ用画像と、複数の角度を示す複数のモニタ用角度指標と、前記モニタ用画像とともに回転して該モニタ用画像の回転角度と同一角度の前記モニタ用角度指標を指し示すモニタ用指示標識と、を表示する表示モニタを備えたことを特徴とするプロジェクタ機能付きデジタルカメラ。
【請求項１０】
請求項９に記載のプロジェクタ機能付きデジタルカメラにおいて、
前記投影用画像と同一画像であるモニタ用画像を表示する表示モニタと、
前記表示モニタ上に設けられた透明なタッチパネルと、を備え、
前記タッチパネルをタッチすることにより前記回転角度を指定することを特徴とするプロジェクタ機能付きデジタルカメラ。
【請求項１１】
撮影光学系により結像された被写体像を撮像素子で撮像する撮影ユニットと、
画像データに基づく投影用画像を矩形表示領域を有する画像形成素子に表示して、その投影用画像を投影光学系により投影する投影ユニットと、を備えるプロジェクタ機能付きデジタルカメラにおいて、
画像が前記矩形表示領域の短辺の長さ以下の直径を有する円形表示領域内に収まるように、前記画像データを調整する第１の画像調整手段と、
ユーザの操作により前記投影用画像の回転および任意の停止位置を指示する操作部と、
前記操作部の回転指示により前記第１の画像調整手段で調整された画像データによる第１の画像を前記画像形成素子に回転表示させ、前記操作部の停止指示により前記第１の画像の回転を任意の位置で停止する第１の表示制御部と、
前記投影用画像の全体が前記回転停止時の前記第１の画像の角度と同一角度で前記矩形表示領域内に収まるように、前記画像データを調整する第２の画像調整手段と、
前記第１の画像の回転停止の後に、該第１の画像に代えて前記第２の画像調整手段で調整された画像データによる第２の画像を前記画像形成素子に表示する第２の表示制御部とを備えたことを特徴とするプロジェクタ機能付きデジタルカメラ。
【請求項１２】
画像データに基づく投影用画像を矩形表示領域を有する画像形成素子に表示して、その投影用画像を投影光学系により投影する投影ユニットを備えるプロジェクタにおいて、
前記投影用画像の回転角度をユーザが任意の角度に指定する角度入力操作部と、
画像が前記矩形表示領域の短辺の長さ以下の直径を有する円形表示領域内に収まるように、前記画像データを調整する第１の画像調整手段と、
前記第１の画像調整手段で調整された画像データによる第１の画像を、前記角度入力操作部で指定された任意の回転角度だけ回転して前記画像形成素子に表示する表示制御部と、を備えたことを特徴とするプロジェクタ。
【発明の詳細な説明】
【技術分野】
【０００１】
本発明は、プロジェクタ機能付きデジタルカメラに関する。
【背景技術】
【０００２】
従来、プロジェクタモジュールを備えたデジタルカメラが知られている（例えば、特許文献１参照）。
【０００３】
【特許文献１】特開２００５−２５０３９２号公報
【発明の開示】
【発明が解決しようとする課題】
【０００４】
ところで、屋外などで複数の人で投影画像を見る場合には、スクリーンとなるような適当な壁があるとは限らず、カメラを手で持って地面に投影して見るようなことが想定される。また、車座になった状態で床や机に画像を投影して、囲んで見る場合もある。このように、投影画像を複数の人が囲んで鑑賞する場合は、見る人によって画像の傾きが異なり、逆向きになってしまうこともある。
【０００５】
そのような場合、相手の人にとって画像を成立させようとカメラを回転しても、見やすい角度にカメラを保持するのは難しい。また、逆さまに投影するためにカメラを逆向きにした場合、操作ボタンなども逆向きになって操作がし難くなるという問題が生じる。
【課題を解決するための手段】
【０００６】
請求項１の発明は、撮影光学系により結像された被写体像を撮像素子で撮像する撮影ユニットと、画像データに基づく投影用画像を矩形表示領域を有する画像形成素子に表示して、その投影用画像を投影光学系により投影する投影ユニットと、を備えるプロジェクタ機能付きデジタルカメラに適用され、投影用画像の回転角度をユーザが任意の角度に指定する角度入力操作部と、画像が矩形表示領域の短辺の長さ以下の直径を有する円形表示領域内に収まるように、画像データを調整する第１の画像調整手段と、第１の画像調整手段で調整された画像データによる第１の画像を、角度入力操作部で指定された任意の回転角度だけ回転して画像形成素子に表示する表示制御部と、を備えたことを特徴とする。
請求項２の発明は、請求項１に記載のプロジェクタ機能付きデジタルカメラにおいて、円形表示領域内の画像のみを切り出すように画像データを調整するものである。
請求項３の発明は、請求項１に記載のプロジェクタ機能付きデジタルカメラにおいて、投影用画像の全体が円形表示領域内に収まるように画像データを調整するものである。
請求項４の発明は、請求項２または３に記載のプロジェクタ機能付きデジタルカメラにおいて、投影用画像の全体が回転角度で矩形表示領域内に収まるように画像データを調整する第２の画像調整手段をさらに備え、第１の画像調整手段で調整された画像データによる第１の画像を画像形成素子に表示した後に、該第１の画像に代えて第２の画像調整手段で調整された画像データによる第２の画像を表示するようにしたものである。
請求項５の発明は、撮影光学系により結像された被写体像を撮像素子で撮像する撮影ユニットと、画像データに基づく投影用画像を矩形表示領域を有する画像形成素子に表示して、その投影用画像を投影光学系により投影する投影ユニットとを備えるプロジェクタ機能付きデジタルカメラに適用され、投影用画像の回転角度をユーザが任意の角度に指定する角度入力操作部と、投影用画像の全体が回転角度で矩形表示領域内に収まるように画像データを調整する画像調整手段と、予め設定された角度認識容易な回転用画像を角度入力操作部で指定された任意の回転角度だけ回転して画像形成素子に表示した後に、該回転用画像に代えて画像調整手段で調整された画像データによる画像を、角度入力操作部で指定された任意の回転角度だけ回転して画像形成素子に表示する表示制御部とを備えたことを特徴とする。
請求項６の発明は、請求項１〜５のいずれか一項に記載のプロジェクタ機能付きデジタルカメラにおいて、複数の角度を示す複数の角度指標と、回転角度と同一角度の角度指標を指し示す指示標識とを、画像形成素子にさらに表示するようにしたものである。
請求項７の発明は、請求項１〜６のいずれか一項に記載のプロジェクタ機能付きデジタルカメラにおいて、角度入力操作部により指定された角度を複数記憶する記憶部をさらに備えるものである。
請求項８の発明は、請求項１〜７のいずれか一項に記載のプロジェクタ機能付きデジタルカメラにおいて、矩形表示領域は、投影用画像を縮小した画像が各々表示される複数の分割表示領域から成り、角度入力操作部により複数の分割表示領域の各画像の任意の回転角度を指定するようにしたものである。
請求項９の発明は、請求項１〜８のいずれか一項に記載のプロジェクタ機能付きデジタルカメラにおいて、投影用画像と同一画像であるモニタ用画像と、複数の角度を示す複数のモニタ用角度指標と、モニタ用画像とともに回転して該モニタ用画像の回転角度と同一角度の前記モニタ用角度指標を指し示すモニタ用指示標識とを表示する表示モニタを備えたものである。
請求項１０の発明は、請求項９に記載のプロジェクタ機能付きデジタルカメラにおいて、投影用画像と同一画像であるモニタ用画像を表示する表示モニタと、表示モニタ上に設けられた透明なタッチパネルとを備え、タッチパネルをタッチすることにより回転角度を指定するようにしたものである。
請求項１１の発明は、撮影光学系により結像された被写体像を撮像素子で撮像する撮影ユニットと、画像データに基づく投影用画像を矩形表示領域を有する画像形成素子に表示して、その投影用画像を投影光学系により投影する投影ユニットとを備えるプロジェクタ機能付きデジタルカメラに適用され、画像が矩形表示領域の短辺の長さ以下の直径を有する円形表示領域内に収まるように、画像データを調整する第１の画像調整手段と、ユーザの操作により投影用画像の回転および任意の停止位置を指示する操作部と、操作部の回転指示により第１の画像調整手段で調整された画像データによる第１の画像を画像形成素子に回転表示させ、操作部の停止指示により第１の画像の回転を任意の位置で停止する第１の表示制御部と、投影用画像の全体が回転停止時の第１の画像の角度と同一角度で矩形表示領域内に収まるように、画像データを調整する第２の画像調整手段と、第１の画像の回転停止の後に、該第１の画像に代えて第２の画像調整手段で調整された画像データによる第２の画像を画像形成素子に表示する第２の表示制御部とを備えたことを特徴とする。
請求項１２の発明は、画像データに基づく投影用画像を矩形表示領域を有する画像形成素子に表示して、その投影用画像を投影光学系により投影する投影ユニットを備えるプロジェクタにおいて、投影用画像の回転角度をユーザが任意の角度に指定する角度入力操作部と、画像が矩形表示領域の短辺の長さ以下の直径を有する円形表示領域内に収まるように、画像データを調整する第１の画像調整手段と、第１の画像調整手段で調整された画像データによる第１の画像を、角度入力操作部で指定された任意の回転角度だけ回転して画像形成素子に表示する表示制御部と、を備えたことを特徴とする。
【発明の効果】
【０００７】
本発明によれば、投影用画像の角度を所望の角度に容易に設定することができ、種々の方向から正立状態の画像を観察することができる。
【発明を実施するための最良の形態】
【０００８】
以下、図を参照して本発明を実施するための最良の形態について説明する。
―第１の実施の形態―
図１は、本発明によるプロジェクタ機能付きデジタルカメラの一実施の形態を示す図である。図１はデジタルカメラ１の外観を示す図であり、（ａ）はデジタルカメラ１の正面側を示し、（ｂ）は背面側を示す。
【０００９】
図１（ａ）に示すように、デジタルカメラ１の筐体内には、撮影ユニット１０とプロジェクタユニット２０とが設けられている。撮影ユニット１０の撮影光学系１００で結像された被写体像は、撮像素子１０１により撮像される。投影ユニット２０は撮影ユニット１０の図示左側に配置されており、投影光は筐体の前面に設けられた投影窓２０ａからカメラ前方に向けて出射され、スクリーン、壁、床などに投影される。
【００１０】
図１（ｂ）に示すように、デジタルカメラ１の背面側には、液晶モニタ１２、ＰＪボタン１１１、メニューボタン１１２、削除ボタン１１３、ロータリーマルチセレクター１１４、モード切替ボタン１１５が配置されている。また、カメラ上面にはシャッターボタン１１、ズーミング操作を行うためのズームレバー１３、電源スイッチ１４が設けられている。図示していないが、液晶モニタ１２の表面にはタッチパネルが設けられており、液晶モニタ１２の表面をタッチすることで、種々の入力操作を行うことができる。
【００１１】
ＰＪボタン１１１は、カメラ撮影状態とプロジェクタ状態（以下ではＰＪモードと記す）とを切り替えるための操作ボタンである。メニューボタン１１２は、液晶モニタ１２にメニュー画面を表示させるための操作ボタンであり、操作時のモード状態に応じたメニュー画面が液晶モニタ１２に表示される。削除ボタン１１３は、液晶モニタ１２に画像を再生する再生モードにおいて、画像削除を指示するための操作ボタンである。
【００１２】
ロータリーマルチセレクター１１４は、中央操作部１１４ａと回転部１１４ｂとを備えている。メニュー画面で表示されている項目や画像を選択する際には、回転部１１４ｂを回転させて選択を行い、中央操作部１１４ａを押すことで項目や画像の選択が確定される。モード切替ボタン１１５は、カメラ撮影を行う撮影モードと、後述するメモリカードＭＣやカメラ内蔵の記憶部９４に記憶されている画像を再生する再生モードとを切り替える操作ボタンである。
【００１３】
図２はプロジェクタユニット２０の構成を示す図であり、（ｂ）は（ａ）のＡ１−Ａ１断面図である。プロジェクタユニット２０は、高輝度ＬＥＤ等の光源２２１と、集光レンズ２２２と、偏光ビームスプリッタ２２３と、液晶パネル２２４と、投影レンズ２２５と、屈曲プリズム２２８と、これらを収容するケース２２６とを備えている。光源２２１には、放熱ブロック２２７が密着して設けられている。液晶パネル２２４にはＬＣＯＳ等の反射型液晶パネルが用いられているが、透過型の液晶パネルを用いても良い。
【００１４】
集光レンズ２２２は、光源２２１からの光を略平行光にして偏光ビームスプリッタ２２３へ入射させる。偏光ビームスプリッタ２２３に入射した光の内、Ｐ偏光は偏光ビームスプリッタ２２３を透過して液晶パネル２２４を照明する。液晶パネル２２４は、赤、緑、青のフィルターが形成された複数の画素から構成され、カラーの画像を生成するように駆動されている。
【００１５】
液晶パネル２２４の液晶層を透過する光は、液晶パネル２２４へ入射されると当該液晶層を進行し、液晶パネル２２４の反射面で反射された後、液晶層を逆方向に進行して液晶パネル２２４から射出され、偏光ビームスプリッタ２２３へ再度入射される。電圧が印加された液晶層は位相板として機能するので、偏光ビームスプリッタ２２３へ再度入射される光は、Ｓ偏光である変調光とＰ偏光である非変調光との混合光である。偏光ビームスプリッタ２２３は、再入射された光束のうちＳ偏光成分である変調光のみを偏光分離部で反射する。その反射された変調光は、投影レンズ２２５および屈曲プリズム２２８を介して投影窓２０ａからカメラ前方に出射される。
【００１６】
図３はデジタルカメラ１のブロック図である。デジタルカメラ１は、上述した撮影ユニット１０、プロジェクタユニット２０、液晶モニタ１２、プロジェクタユニット２０の光源２２１および液晶パネル２２４の他に、画像処理部６０、操作部９１、ＣＰＵ９２、ビデオ出力端子９３、記憶部９４、タッチパネル９５、位置検出部９６、メモリカードＭＣなどを備えている。
【００１７】
操作部９１は、上述した各操作ボタン１１１〜１１３、ロータリーマルチセレクター１１４、シャッターボタン１１、ズームレバー１３および電源スイッチ１４を含む。画像処理部６０は、信号変換・処理回路６１、圧縮・伸張回路６２、モニタ表示回路６３、パネル表示回路６４を含む。液晶モニタ１２の表面に設けられているタッチパネル９５を指等でタッチすると、位置検出部９６によりタッチ位置が検出される。その検出位置情報はＣＰＵ９２に入力される。
【００１８】
記憶部９４は、バッファメモリやＣＰＵ９２のワーキングメモリを含む。ビデオ出力端子９３からは、投影画像、撮影画像および再生画像の画像信号が出力され、例えば、ビデオ出力端子９３に表示モニタを接続することで、その表示モニタに投影画像、撮影画像および再生画像を表示させることができる。
【００１９】
撮影ユニット１０の撮影レンズ１００を通過した光束は、撮像素子１０１に受光されて光電変換される。撮像素子１０１の光電変換出力は、画像処理部６０の信号変換・処理回路６１でＡ／Ｄ変換されるとともに、種々の画像処理が施され、画像データが生成される。画像データは、圧縮・伸張回路６２で圧縮され、像記録媒体であるメモリカードＭＣに記録される。
【００２０】
カメラを再生モードに設定すると、メモリカードＭＣに記録されている画像データに基づく表示用画像を液晶モニタ１２に表示することができる。この場合、表示すべき画像データがメモリカードＭＣから読み込まれ、圧縮／伸張回路６２にて伸張され、信号変換・処理回路６１を経由してモニタ表示回路６３に送られる。モニタ表示回路６３は、入力された画像を液晶モニタ１２に表示する。
【００２１】
カメラを撮影モードに設定すると、撮像素子１０１により繰り返し撮像される画像が、液晶モニタ１２に動画として表示される。このように、繰り返し撮像される動画をスルー画と呼び、撮影者はスルー画を見ながら構図決定を行うことができる。なお、デジタルカメラ１は動画撮影モードも備えていて、撮像素子１０１により繰り返し撮像される画像を動画としてメモリカードＭＣに記憶させることができる。
【００２２】
ＰＪモードでは、メモリカードＭＣに記録された画像データに基づく投影用画像を、プロジェクタユニット２０により投影することができる。この場合、投影すべき画像データがメモリカードＭＣから読み込まれ、圧縮・伸張回路６２にて伸張され、信号変換・処理回路６１を経由してパネル表示回路６４に送られる。パネル表示回路６４は、入力された画像データを液晶パネル２２４に表示する。この状態で光源２２１を点灯すると、液晶パネル２２４に表示されている画像が投影画像として読み出され、投影窓２０ａから投影される。
【００２３】
［投影画像の回転操作］
次に、ＰＪモードにおける、投影画像の回転操作について説明する。先ず、図１（ｂ）のＰＪボタン１１１を操作するとカメラは画像投影を行うＰＪモードになり、予め定められた所定画像がプロジェクタユニット２０により投影される。所定画像とは、カメラ内に予め記憶されている画像であるが、ユーザが所望の画像から作成できるようにしても良い。本実施の形態における画像の回転操作は、例えば、前述したように画像を床などに投影し、その投影された画像を複数で囲んで観察する場合などに使用される。
【００２４】
本来、スクリーンや壁などに画像を投影する場合は、縦長の画像では９０度回転した横向きに投影されることがあるので、プロジェクタは画像を９０度回転する機能を備えている場合が多い。しかし、上述したように車座で画像を囲むようにして観察する場合には、前述したような問題があり、より細かい角度で回転できる方が好ましい。そこで、本実施の形態のデジタルカメラ１では、画像を９０度毎に回転することができる通常投影モードと、より小刻みに画像を回転させることができる自由回転投影モードとを備えている。
【００２５】
通常投影モードと自由回転投影モードとの切り替え方としては、次のような２種類の方法が考えられる。第１の切り替え方法では、初期状態では通常投影モードに設定されていて、液晶モニタ１２にメニュー画面を表示させることにより通常投影モードから自由回転投影モードへ、および、自由回転投影モードから通常投影モードへと切り替えるようにする。その場合、図４および図５に示すように、通常投影モードと自由回転投影モードとでロータリーマルチセレクター１１４の操作機能を切り替える。切り替えのタイミングとしては、ＰＪモードに入る前に予めメニュー画面で自由回転投影モードに設定しておいても良いし、ＰＪモードに入った後の任意の時点でメニュー画面を呼び出して自由回転投影モードに切り替えてもかまわない。
【００２６】
図４は、通常投影モードにおけるロータリーマルチセレクター１１４の操作機能を説明する図である。通常投影モードでは、投影画像の送りおよび逆送りと、画像の９０度回転および１８０度回転、回転された画像を元の正立状態に戻すリセット機能とが、ロータリーマルチセレクター１１４に割り当てられている。ロータリーマルチセレクター１１４の回転部１１４ｂの符号Ｂで示す右側部分を短く押すと、投影画像のコマ送りが行われる。一方、回転部１１４ｂの符号Ｄで示す部分を短く押すと、逆方向へのコマ送りが行われる。
【００２７】
画像の回転に関しては、回転部１１４ｂの符号Ａで示す部分を長押し操作すると、投影画像が９０度回転する。回転方向は右回りでも左回りでも良く、ここでは左回りに設定されているものとする。さらに９０度回転させたい場合には、長押し操作を一旦解除し、再び長押し操作すれば良い。ここで投影画像の回転は、プロジェクタユニット２０の液晶パネル２２４に表示される画像を回転することにより行われる。横長の画像を９０度回転すると縦長の画像となるが、この場合、縦長の画像全体が液晶パネル２２４に表示されるように、自動的に画像を縮小表示する。なお、液晶モニタ１２にも投影画像と同様の画像が表示され、表示画像を投影画像と同様に回転させる。また、後述するように回転角度を液晶モニタ１２に数字で表示するようにしても良い。
【００２８】
図５は、自由回転投影モードにおけるロータリーマルチセレクター１１４の操作機能を説明する図である。自由回転投影モードでは、図５（ａ）に示す通常投影モードと同様の操作機能を有するとともに、図５（ｂ）に示す自由回転投影モード固有の操作機能が付与される。図５（ａ）の操作機能については、図４の場合と同じなので説明を省略する。図５（ｂ）において、回転部１１４ｂを押しながら左回転させると、その回転に応じて投影画像も左回りに小刻みに回転し、逆に、回転部１１４ｂを押しながら右回転させると、その回転に応じて投影画像も右回りに小刻みに回転する。ここでは、５度ずつ小刻みに回転するとして考えるが、任意に回転ができるとしても良い。ここでは、図５（ａ）に示すように、通常投影モードと同様の操作も可能な構成としたが、例えば、図５（ｂ）の操作でも可能である図５（ａ）の９０度回転および１８０度回転の機能を、省略しても構わない。
【００２９】
上述した第１の切り替え方法ではメニュー画面を呼び出して切り替えを行ったが、第２の切り替え方法では、ロータリーマルチセレクター１１４の操作の違いにより通常投影モードと自由回転投影モードとを切り替えるようにしても良い。具体的には、上述した操作から、メニュー操作を省略する。すなわち、図５（ａ）に示す操作を行うことで通常投影モードでの操作が行われ、図５（ｂ）の操作を行うことで自由回転投影モードでの操作が行われる。
【００３０】
次に、回転操作時における投影画像の形態について説明する。図６は投影画像の回転の手順を説明するフローチャートであり、このフローチャートの処理を行うプログラムは図３のＣＰＵ９２において実行される。カメラが自由回転投影モードに設定されると図６の処理が開始され、ステップＳ１においてロータリーマルチセレクター１１４の操作が行われたか否かを判定し、操作有り（ｙｅｓ）と判定されるとステップＳ２へ進む。
【００３１】
ステップＳ２では、投影画像を回転用の画像に変更する。図７（ａ）はステップＳ２が実行される前の投影画像を示す図であり、図７（ｂ）は回転用画像の一例を示す図である。自由回転投影モードにおいてロータリーマルチセレクター１１４の操作が行われると、投影画像は図７（ａ）に示す状態から図７（ｂ）に示すような回転用画像に切り替えられる。図７（ｂ）では、画面中央Ｓを中心とする円形領域に含まれる画像３０Ａのみが投影される。円形領域の直径は、矩形投影領域３１の短辺の長さとほぼ等しいまたは以下の長さに設定される。矩形投影領域３１は、画像を表示する液晶パネル２２４（図２参照）の矩形表示領域に対応しており、円形領域は矩形表示領域内の円形表示領域に対応している。すなわち、液晶パネル２２４には、画像３０Ａのみが表示され、ハッチングを施した周囲領域３０Ｂの画像は非表示状態とされる。
【００３２】
図７（ｂ）において、円形領域の周囲には角度を示す指標３２が等間隔で表示され、さらに、角度０度、９０度、１８０度、２７０度を示す黒丸の指標３３も表示される。図７（ｂ）に示す例では、右側の指標３３が回転角度０度の位置を示しており、指標３２は５度間隔で表示されている。回転角度指標３４は回転投影時の回転角度を示すものであり、図７（ｂ）のように通常の正立状態の画像が投影されている場合には、回転角度指標３４は０度の指標３３の位置に表示される。
【００３３】
カメラ１の液晶モニタ１２にも、図７（ｂ）に示すものと同様の画像が表示される。図８は液晶モニタ１２に表示される画像の一例を示したものであり、投影画像と同様の画像３０Ａや指標３２，３３，３４が表示されるとともに、画像のコマ番号や画像の回転角度を数字で示す標識１２１，１２２が表示されている。もちろん、投影画像にも標識１２１，１２２を表示してもかまわない。
【００３４】
ステップＳ３では、ロータリーマルチセレクター１１４の操作に応じた画像の回転を実行する。図９は、図５（ａ）に示すロータリーマルチセレクター１１４の回転部１１４ｂの符号Ａで示す上側部分を長押し操作した場合の、投影画像を示したものである。図７（ａ）に示す状態で符号Ａの部分を長押しすると、操作直後に図７（ｂ）のように回転用画像が投影され、長押し状態が所定時間経過すると、図９（ａ）に示すような画像が投影される。画像３０Ａは左回りに９０度回転した状態で投影される。また、指標３２，３３は回転せず、回転角度指標３４は画像３０Ａとともに回転する。
【００３５】
そのため、回転角度指標３４は９０度を示す指標３３の位置に表示され、画像３０Ａが９０度回転していることが回転角度指標３４から容易に認識することができる。さらに９０度回転させたい場合には、長押しを一旦解除した後に、再び符号Ａの部分を長押し操作すれば良い。そうすると、画像は図９（ｂ）のように切り替わり、画像３０Ａはさらに９０度回転して元の画像に対して１８０度回転した状態となる。すなわち、天地が逆さまの画像が投影されることになる。
【００３６】
図６のフローチャートに戻って、ステップＳ３の処理が終了したならば、ステップＳ４に進んでロータリーマルチセレクター１１４の操作が解除されたか否かを判定する。ステップＳ４で解除されたと判定されるとステップＳ５へ進み、解除されていない場合にはステップＳ３へ戻って画像回転動作を継続する。ステップＳ５に進んだ場合には、操作解除時点から所定時間Δｔが経過したか否かを判定する。そして、所定時間Δｔが経過したと判定されるとステップＳ６へ進み、図９（ｂ）に示す回転用画像から、図９（ｃ）に示す投影画像に切り替える。すなわち、指標３２〜３４を非表示とするとともに、円形領域の画像３０Ａだけでなく画像全体を投影する。次いで、ステップＳ７では、自由回転投影モードから通常投影モードに切り替えられたか否かを判定し、否定判定されるとステップＳ１へ戻り、肯定判定されると一連の画像回転処理を終了する。
【００３７】
なお、上述した処理では、操作解除されても所定時間Δｔが経過するまで回転用画像から投影画像へ切り替えないようにしている。これは、操作解除直後（＜Δｔ）に再操作された場合に、図９（ｂ）→図９（ｃ）→図９（ｂ）のようにめまぐるしく画像が切り替わって見苦しくなるのを避けるためである。
【００３８】
ところで、図９（ｃ）に示す場合には画像を１８０度回転しているため、回転後の画像全体をプロジェクタユニット２０の液晶パネル２２４の表示領域全体に表示することが可能となり、逆さま表示された画像全体を投影することができる。しかし、図９（ｂ）に示すように９０度回転した場合には、画像全体は縦長となるため液晶パネル２２４に画像全体を等倍表示するのが不可能となる。このような場合には、図１０に示すような形態で投影しても良い。
【００３９】
図１０（ａ）に示す例では、横長の矩形投影領域３１において、円形領域内の画像３０Ａだけを表示し、その他の投影領域３０Ｂは非表示状態とする。図１０（ｂ）に示す例では、投影領域３１に収まる画像３０Ａだけ表示し、その他のハッチングが施された領域（左右の領域）は非表示状態とする。図１０（ｃ）に示す例では、９０度回転された縦長の画像全体が投影領域３１に収まるように、画像を液晶パネル２２４に縮小表示し、縮小された画像全体を投影するようにする。図１０（ｃ）のように縮小投影した場合には、カメラ１を遠ざけることで画像全体を大きくすれば、図７（ａ）に示す正立状態の投影画像と同程度の大きさの投影画像が容易に得られる。なお、ズーム光学系を有するカメラであれば、自動的にズーム動作をさせることで、投影画像の大きさを等倍表示と同じ大きさにすることができる。
【００４０】
図１１は、図５（ｂ）に示すようにロータリーマルチセレクター１１４の回転部１１４ｂを左回りに回転操作した場合の投影画像を説明する図である。図１１（ａ）に示す例では、画像３０Ａが４５度回転されている。この状態で操作解除してから所定時間Δｔが経過すると、図１１（ｂ）または図１１（ｃ）に示すような投影画像に切り替わる。図１１（ｂ）は、図１０（ａ）の場合と同様に円形領域の画像３０Ａだけが投影される場合を示す。一方、図１１（ｃ）では、斜めに傾いた画像の全体が液晶パネル２２４に表示されるように、画像を縮小表示する。その結果、斜めに傾いた投影画像の全体が投影領域３１に投影されることになる。なお、図１１（ｂ）、（ｃ）のハッチングを施した領域３０Ｂは非表示領域である。
【００４１】
回転用画像としては、上述した図７（ｂ）に示すものに限らず種々の形態が可能である。図１２（ａ）に示す例では、投影用画像の中央部分を正方形の形に切り出して回転用の画像３０Ａとしている。円形領域内には、符号３０Ｃで示す非表示領域が形成される。また、ズームアップの画像などの場合には、図６（ａ）や図１２（ａ）のように画像中央の円形領域内の画像３０Ａだけでは画像の回転状態が分かり難い場合がある。そこで、図１２（ｂ）に示すように画像を縮小表示し、その中央部分を切り出すようにしても良い。その結果、より広い範囲の画像が投影され、画像の回転状態が分かりやすくなる。この場合、縮小率によっては、画像の天地方向寸法が円形領域の直径よりも小さくなるので、円形領域内に非表示領域３０Ｃが形成され、投影画像は円形ではなく上下が切れた画像となる。
【００４２】
図１２（ｃ）に示す例では、投影用画像の全体が投影されるように、すなわち、円形領域内に収まるように画像を縮小表示して投影している。その結果、回転用の画像は矩形画像となる。操作が解除されて所定時間Δｔが経過したならば、矩形画像全体が表示可能な破線３５で示す範囲まで縮小率を下げて画像を拡大する。その結果、図１１（ｃ）に示したのと同様の表示形態となる。なお、図１２（ａ），（ｂ）の場合も、図１２（ｃ）の場合と同様にΔｔ後の投影画像を矩形画像としても良い。
【００４３】
上述した例では、投影用画像を用いて回転用画像を形成したが、図１３（ａ）〜（ｃ）に示すような回転方向が分かりやすい専用の画像を回転用画像として用いても良い。図１３（ａ）では画像形状を表す矩形領域３０Ａ内に画像の向きが分かりやすいように対角線３６を表示した。図１３（ｂ）では、対角線３６に代えて、向かい合う辺の中点同士を結んだクロスライン３７を表示した。また、図１３（ｃ）では、矩形領域３０Ａ内に、天地方向を示す矢印３８を表示するようにした。いずれの場合も絵柄がシンプルなため、画像の方向（すなわち回転角度）が認識しやすい。
【００４４】
［変形例１］
上述した実施の形態では、回転スイッチであるロータリーマルチセレクター１１４を操作することで投影画像の回転を行わせるようにしたが、ロータリーマルチセレクター１１４に代えて、十字キーや押しボタンなどの操作により画像の回転を行わせるようにしても良い。図１４は十字キー４０を用いる場合の操作機能の一例を説明する図であり、画像投影モード時には図１４に示されるような操作機能が十字キー４０に割り当てられる。
【００４５】
十字キー４０では、プッシュ操作により入力を行う操作部４０ａ〜４０ｄが十字状に配置されて、中央に中央操作部４０ｅが設けられている。操作部４０ａを長押しすると画像が９０度回転し、操作部４０ｃを長押しすると画像が１８０度回転する。一方、右側の操作部４０ｂを長押しすると、画像が５度間隔で連続的に右回りに回転する。逆に、左側の操作部４０ｄを長押しすると、画像が５度間隔で左回りに回転する。なお、画像を元の正立状態にリセットする場合には、操作部４０ａを短押しすれば良い。
【００４６】
また、押しボタンで操作する構成の場合には、例えば、図１（ｂ）に示す削除ボタン１１３を用いて行う。この場合、ＰＪモードに切り替えられると、ボタン１１３に画像回転に関する操作機能が割り当てられる。一例としては、操作ボタン１１３を長押しすると、５度間隔で連続的に画像が回転し、操作ボタン１１３のプッシュ操作を止めると画像の回転が停止するようにする。他の例としては、操作ボタン１１３をプッシュ操作すると、５度間隔で連続的に画像が回転し、再度操作ボタン１１３をプッシュ操作すると回転が停止するようにしても良い。この操作方法では、操作ボタン１１３を押す操作だけで良いので、操作方法が覚えやすく、また、素早く操作を行うことができる。もちろん、回転指示の機能と回転停止の機能とを別の操作ボタンに振り分けても良い。
【００４７】
［変形例２］
図１５は第２の変形例を説明する図である。上述した実施の形態では、ロータリーマルチセレクター１１４や十字キー４０や操作ボタン１１３を操作することで、画像を回転させたが、第２の変形例では、液晶モニタ１２の表面に設けられているタッチパネル９５を用いて回転操作を行うようにした。まず。破線で示すように、人差し指４２、中指４３の順でタッチパネル９５に触れる。そして、人差し指４２の接触位置を点Ｐ１に固定したまま点Ｐ１を中心に中指４３を回転して、中指４３の接触位置を点Ｐ２から点Ｐ３へと移動させる。このときの中指４３の動きは、点Ｐ１を中心とする円弧でなくてもかまわない。
【００４８】
このようなタッチパネル操作を行うことで、画像の回転角度は、点Ｐ１と点Ｐ２とを結ぶ直線と、点Ｐ１と点Ｐ３とを結ぶ直線との成す角に設定される。すなわち、画像は、画面中央を中心として、右回りに角度θだけ回転される。逆の操作、すなわち人差し指４２を点Ｐ１に固定したまま、中指４３を点Ｐ３から点Ｐ２に移動させると、画像は左回りに角度θだけ回転される。中指４３を移動させる動作を複数回行えば、画像をより大きく回転させることができる。
【００４９】
このようなタッチパネル操作を行えるようにすることで、画像の回転と操作動作とがほぼ一致しているため、操作方法を覚え易い。なお、人差し指、中指以外の指を用いてタッチパネルを操作しても構わない。また、ここでは画面中央を中心に画像を回転したが、最初にタッチした位置（点Ｐ１）を中心に画像を回転するようにしても良い。さらに、点Ｐ１と点Ｐ２の中点Ｐ４を回転中心に設定するようにしても良い。
【００５０】
［変形例３］
第３の変形例では、回転角度を記憶できるようにした。例えば、ロータリーマルチセレクター１１４の回転部１１４ｂを操作して画像を回転させ、Δｔ後に図９（ｃ）に示すような投影画像が投影されたならば、ロータリーマルチセレクター１１４の中央操作部１１４ａをプッシュ操作してその回転角度を記憶部９４に記憶させる。そして、このような操作を複数回行うことにより、複数の回転角度を記憶させることが可能となる。
【００５１】
例えば、観察者６人で囲むように投影画像を観察している場合を考える。それぞれの観察者に対して、投影画像をほぼ正立の状態となるように画像を回転させ、各々の角度を記憶させる。回転角度として２５度、５０度、８０度、１５０度、２００度の５つの角度を記憶させる場合、回転部１１４ｂを回転して、回転角度が２５度となるように回転部１１４ｂを回転し、２５度だけ傾いた画像が投影されたならば中央操作部１１４ａをプッシュ操作して、角度２５度を記憶させる。次いで、回転角度が５０度となるように回転部１１４ｂを操作し、同様の手順で角度５０度を記憶させる。この操作を８０度、１５０度、２００度についても行う。
【００５２】
記憶させた角度への画像回転を行わせる機能については、例えば、操作ボタン１１３に割り当てられる。画像が正立状態で投影されている場合に操作ボタン１１３を押すと、画像は２５度の角度に回転される。その状態でさらに操作ボタン１１３を押すと、画像は５０度の角度に回転される。すなわち、操作ボタン１１３を押すたびに、画像の回転角度は０、２５,５０,８０，１５０，２００，０，２５、のようにサイクリックに変化する。そして、どの角度で投影されている場合でも、回転ボタン１１４ｂの上側部分を短押しすることにより正立状態に戻すことができる。
【００５３】
［変形例４］
第４の変形例では、同時に複数の画像を投影し、囲んでいる複数の観察者に応じて各々の画像の角度を調整できるようにした。図１６は一例を示したものであり、投影領域３１を４つの分割領域３１１〜３１４に分け、分割領域３１１〜３１４毎に角度の異なる画像を投影する。図１６（ａ）の例では、画像の回転角度は０度、９０度、１８０度、２７０度のように設定されている。それぞれ、角度を付した矢印の方から見るのに適した傾きの投影画像となっている。
【００５４】
図１６（ａ）に示した回転角度は初期設定における角度であって、分割領域３１１〜３１４毎に回転角度の調整を行うことができる。その場合、ロータリーマルチセレクター１１４に設けられた回転部１１４ｂの符号Ａ〜Ｄを付した部分を操作することにより、設定変更したい分割領域を選択する。例えば、符号Ｂの部分を押すことで、分割領域３１２が選択される。
【００５５】
次に、回転部１１４ｂを回転して画像を１０度だけ左回りに回転させる。その結果、図１６（ｂ）に示すように、分割領域３１２の画像の回転角度は左回りに１９０度だけ回転した画像となる。図１６（ｂ）の例では、他の分割領域３１３，３１４の回転角度は１７０度および２８０度に調整されている。このような調整を行うことで、観察者の位置が丁度０，９０，１８０，２７０度でなくても、正立状態の画像を観察することが可能となる。なお、分割領域３１２が選択されると、その領域の画像を矩形投影領域３１の全体に投影し、角度調整終了後に図１６（ｂ）の投影状態に戻すようにしても良い。
【００５６】
［変形例５］
カメラ１をスクリーンに向けて投影する場合、スクリーンに対して斜めに投影すると投影領域３１の形状が台形になる。そのため、プロジェクタ機能を有するカメラでは、カメラの角度を角度センサ等で検出し、その検出結果に基づいて投影像の台形歪み補正を行って、矩形状の投影画像が投影されるようにしている。図１７（ａ）のように床４４に画像３０を投影する場合も同様であって、カメラの角度に応じて歪み補正を行い、画像３０の枠である投影領域３１が矩形状となるように補正される。
【００５７】
しかしながら、床４４に対して矢印Ｆのように垂直に見下ろすように観察すれば、画像領域３１は矩形状に見えるが、観察者４５のように角度αの方向から見た場合、投影領域３１は図１７（ｂ）に示すように台形状に見えることになる。そこで、観察者４５に対して正立状態の投影画像を提示する場合には、角度αを考慮してさらに台形補正を行い、図１７（ｃ）に示すような矩形状の投影領域３１が観察者４５から観察されるようにする。この場合、メニュー画面において、自由回転投影モードに対する角度αを予め入力設定しておく。角度αは観察者の位置によらず一定であるとする。なお、図１６のように投影画像を複数投影する場合にも、それぞれの回転角度に応じて台形補正を施すようにしても良い。
【００５８】
以上説明したように、本実施の形態では、ロータリーマルチセレクター１１４や十字キー４０等の操作部により所望の角度を指定することで、投影画像を自由に回転することができるので、投影画像を囲むように複数の観察者がいる場合でも、カメラ１自体を回転させることなく簡単な操作で、それぞれの観察者に対して正立した画像を提示することができる。
また、角度指標３２，３３と、投影用画像３０Ａの回転角度と同一角度の角度指標３２，３３を指し示す指示標識３４を投影するようにしたので、画像の回転角度が分かりやすい。さらに、これらの指標３２，３３や標識３４を表示モニタ上に画像とともに表示しても良い。
【００５９】
投影用画像から回転用の画像を切り出し、その回転用画像の大きさ（すなわち、回転用画像に外接する円の直径）を、矩形投影領域３１の短辺の長さ以下となるようにしたので、画像の大きさを変更することなく回転することができ、見やすくなる。なお、画像を切り出す代わりに、対角寸法が投影領域３１の短辺の長さ以下となるように画像全体を縮小しても良い。さらに、画像を回転した後に、投影用画像の全体を投影領域３１に回転した状態で投影できる最大の大きさに縮小し、投影用画像をその画像に切り替えるようにすることで、見やすい画像を投影することができる。また、図１３に示すような角度認識の容易な回転用画像を投影することで、回転操作がし易くなる。
【００６０】
なお、以上の説明はあくまでも一例であり、本発明の特徴を損なわない限り、本発明は上記実施の形態に何ら限定されるものではない。
【図面の簡単な説明】
【００６１】
【図１】デジタルカメラ１の外観を示す図であり、（ａ）はデジタルカメラ１の正面側を示し、（ｂ）は背面側を示す。
【図２】プロジェクタユニット２０の構成を示す図であり、（ａ）は正面から見た断面図、（ｂ）はＡ１−Ａ１断面図である。
【図３】デジタルカメラ１のブロック図である。
【図４】通常投影モードにおけるロータリーマルチセレクター１１４の操作機能を説明する図である。
【図５】自由回転投影モードにおけるロータリーマルチセレクター１１４の操作機能を説明する図であり、（ａ）は回転部１１４ｂの短押し、長押し操作を示し、（ｂ）は回転操作を示す。
【図６】投影画像の回転の手順を説明するフローチャートである。
【図７】回転用画像への変更を説明する図であり、（ａ）は回転操作前の投影画像を示し、（ｂ）は回転操作直後の回転用画像を示す。
【図８】液晶モニタ１２に表示される表示画像の一例を示す図である。
【図９】回転部１１４ｂの操作による投影画像の変化を説明する図であり、（ａ）は長押し操作を１回行った場合を、（ｂ）は長押し操作を２回行った場合を、（ｃ）は操作終了後をそれぞれ示す。
【図１０】所定時間Δｔが経過したときの投影画像の形態を示す図である。
【図１１】画像を４５度回転して所定時間Δｔが経過したときの投影画像の形態を示す図であり、（ａ）は回転用画像を示し、（ｂ）および（ｃ）は所定時間Δｔが経過したときの投影画像の形態を示す。
【図１２】回転用画像の変形例を示す図である。
【図１３】回転用画像の他の形態を示す図である。
【図１４】ロータリーマルチセレクター１１４に代えて十字キー４０を用いた場合の操作機能を示す図である。
【図１５】タッチパネル９５を用いた回転操作を説明する図である。
【図１６】複数の投影画像を投影する変形例４を説明する図であり、（ａ）は初期設定の場合を、（ｂ）は回転角度を調整した場合をそれぞれ示す。
【図１７】台形補正を説明する図である。
【符号の説明】
【００６２】
１：デジタルカメラ、１０：撮影ユニット、１２：液晶モニタ、２０：プロジェクタユニット、３１：投影領域、３２〜３４：指標、４０：十字キー、４０ａ〜４０ｄ：操作部、４０ｅ：中央操作部、９１：操作部、９２：ＣＰＵ、９４：記憶部、９５：タッチパネル、１０１：撮像素子、１１４：ロータリーマルチセレクター、１１４ａ：中央操作部、１１４ｂ：回転部、３１１〜３１４：分割領域
【図１】
0005481787.tif 000002
【図２】
0005481787.tif 000003
【図３】
0005481787.tif 000004
【図４】
0005481787.tif 000005
【図５】
0005481787.tif 000006
【図６】
0005481787.tif 000007
【図７】
0005481787.tif 000008
【図８】
0005481787.tif 000009
【図９】
0005481787.tif 000010
【図１０】
0005481787.tif 000011
【図１１】
0005481787.tif 000012
【図１２】
0005481787.tif 000013
【図１３】
0005481787.tif 000014
【図１４】
0005481787.tif 000015
【図１５】
0005481787.tif 000016
【図１６】
0005481787.tif 000017
【図１７】
0005481787.tif 000018